【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
レーザー光が発生する光源と、該光源から発生するレーザー光を偏向する偏向器と、前記偏向器で偏向されたレーザー光が通過する走査レンズと、を有し、前記光源から発生するレーザー光が、前記走査レンズを通過した後、前記偏向器で偏向され、その後再び前記走査レンズを通過して被走査面に向かって出射する光学走査装置において、
前記走査レンズを境にして前記偏向器が配置されている側とは反対側に、前記走査レンズで反射し前記被走査面に向かう反射光を遮光する遮光板を有し、
前記偏向器と前記走査レンズとの距離をＬ１、前記偏向器と前記遮光板との距離をＬ２、前記走査レンズの厚みをＴ、前記偏向器に対する前記レーザー光の副走査方向の入射角度をα、前記レーザー光の収束角度を２θとするとき、
【数１】
2006072339.tif 000001
の数式を満たす範囲内に前記遮光板が配置されていることを特徴とする光学走査装置。
【請求項２】
前記遮光板は、前記偏向器へ向かう前記レーザー光が通過するスリットを有することを特徴とする請求項１に記載の光学走査装置。
【請求項３】
前記スリットは前記偏向器へ向かうレーザー光を絞る絞り機能を有することを特徴とする請求項２に記載の光学走査装置。
【請求項４】
前記遮光板は、その副走査方向の一端が前記装置のハウジングに保持されていることを特徴とする請求項１に記載の光学走査装置。
【請求項５】
前記遮光板は、その主走査方向の一端が前記装置のハウジングに片持ち保持されていることを特徴とする請求項１に記載の光学走査装置。
【請求項６】
前記光源は、主走査方向において、前記走査レンズの光軸から離れた位置に配置されており、前記装置は更に、前記光源から発生するレーザー光を前記偏向器に向かって反射するミラーを有し、前記遮光板は、主走査方向において、前記走査レンズの光軸を境にして前記光源から前記ミラーに向かうレーザー光の光路とは反対側の端部で前記装置のハウジングに保持されていることを特徴とする請求項５に記載の光学走査装置。
【請求項７】
前記遮光板の主走査方向の長さは、前記光源から前記ミラーに向かうレーザー光の光路まで達しない長さであることを特徴とする請求項６に記載の光学走査装置。
【請求項８】
前記遮光板は、主走査方向の両端が前記装置のハウジングに両持ち保持されていることを特徴とする請求項１に記載の光学走査装置。
【請求項９】
前記光源は、主走査方向において、前記走査レンズの光軸から離れた位置に配置されており、前記装置は更に、前記光源から発生するレーザー光を前記偏向器に向かって反射するミラーを有し、前記遮光板は、前記光源から前記ミラーに向かうレーザー光が通過するスリットと、前記ミラーから前記偏向器へ向かうレーザー光が通過するスリットと、を有することを特徴とする請求項８に記載の光学走査装置。
【請求項１０】
前記遮光板は、前記偏向器の回動軸に対して傾いていることを特徴とする請求項１に記載の光学走査装置。
【請求項１１】
第１のレーザー光が発生する第１の光源と、第２のレーザー光が発生する第２の光源と、前記第１及び第２の光源から発生する第１及び第２のレーザー光を偏向する偏向器と、前記偏向器で偏向された第１及び第２のレーザー光が通過する走査レンズと、を有し、前記第１及び第２の光源から発生する第１及び第２のレーザー光が、共に前記走査レンズを通過した後、前記偏向器で偏向され、その後再び前記走査レンズを通過して第１の被走査面と第２の被走査面に向かって夫々出射する光学走査装置において、
前記走査レンズを境にして前記偏向器が配置されている側とは反対側に、前記走査レンズで反射し前記第1または第２の被走査面に向かう反射光を遮光する遮光板を有し、
前記偏向器と前記走査レンズとの距離をＬ１、前記偏向器と前記遮光板との距離をＬ２、前記偏向器に入射する前記第１及び第２のレーザー光の副走査方向の距離をＬ３、前記走査レンズの厚みをＴ、前記偏向器に対する前記第１及び第２のレーザー光夫々の副走査方向の入射角度をα、前記第１及び第２のレーザー光夫々の収束角度を２θとするとき、
【数２】
2006072339.tif 000002
【数３】
2006072339.tif 000003
の２つの数式を満たす範囲内に前記遮光板が配置されていることを特徴とする光学走査装置。
【請求項１２】
前記第１及び第２の光源から前記偏向器に向かう第１及び第２のレーザー光は、レーザー光の進行方向において前記走査レンズより手前で交差していることを特徴とする請求項１１に記載の光学走査装置。
【請求項１３】
前記遮光板は、前記偏向器へ向かう前記第１及び第２のレーザー光の両方が通過する１つのスリットを有することを特徴とする請求項１１に記載の光学走査装置。
【請求項１４】
前記スリットは前記偏向器へ向かうレーザー光を絞る絞り機能を有することを特徴とする請求項１３に記載の光学走査装置。
【請求項１５】
前記遮光板は、その副走査方向の一端が前記装置のハウジングに保持されていることを特徴とする請求項１１に記載の光学走査装置。
【請求項１６】
前記遮光板は、その主走査方向の一端が前記装置のハウジングに片持ち保持されていることを特徴とする請求項１１に記載の光学走査装置。
【請求項１７】
前記第１及び第２の光源は、主走査方向において、前記走査レンズの光軸から離れた位置に配置されており、前記装置は更に、前記第１及び第２の光源から発生する第１及び第２レーザー光を前記偏向器に向かって反射するミラーを有し、前記遮光板は、主走査方向において、前記走査レンズの光軸を境にして前記第１及び第２の光源から前記ミラーに向かう第１及び第２レーザー光の光路とは反対側の端部で前記装置のハウジングに保持されていることを特徴とする請求項１６に記載の光学走査装置。
【請求項１８】
前記遮光板の主走査方向の長さは、前記第１及び第２の光源から前記ミラーに向かうレーザー光の光路まで達しない長さであることを特徴とする請求項１７に記載の光学走査装置。
【請求項１９】
前記遮光板は、主走査方向の両端が前記装置のハウジングに両持ち保持されていることを特徴とする請求項１に記載の光学走査装置。
【請求項２０】
前記第１及び第２の光源は、主走査方向において、前記走査レンズの光軸から離れた位置に配置されており、前記装置は更に、前記第１及び第２の光源から発生する第１及び第２レーザー光を前記偏向器に向かって反射するミラーを有し、前記遮光板は、前記第１及び第２の光源から前記ミラーに向かう第１及び第２レーザー光が通過するスリットと、前記ミラーから前記偏向器へ向かう第１及び第２レーザー光が通過するスリットと、を有することを特徴とする請求項１９に記載の光学走査装置。
【請求項２１】
前記遮光板は、前記偏向器の回動軸に対して傾いていることを特徴とする請求項１１に記載の光学走査装置。
【請求項２２】
第１のレーザー光が発生する第１の光源と、第２のレーザー光が発生する第２の光源と、前記第１及び第２の光源から発生する第１及び第２のレーザー光を偏向する偏向器と、前記偏向器で偏向された第１及び第２のレーザー光が通過する走査レンズと、を有し、前記第１及び第２の光源から発生する第１及び第２のレーザー光が、共に前記走査レンズを通過した後、前記偏向器で偏向され、その後再び前記走査レンズを通過して第１の被走査面と第２の被走査面に向かって夫々出射する光学走査装置において、
前記第１及び第２の光源から発生し前記偏向器に向かう前記第１及び第２のレーザー光は前記走査レンズより手前で交差しており、この交差位置または交差位置近傍に前記走査レンズで反射し前記第1及び第２の被走査面に向かう反射光を遮光する遮光板が設けられていることを特徴とする光学走査装置。
【請求項２３】
前記遮光板は、前記偏向器に向かう前記第１及び第２のレーザー光の両方が通過する１つのスリットを有することを特徴とする請求項２２に記載の光学走査装置。
【請求項２４】
前記遮光板はその主走査方向の一端が前記装置のハウジングに片持ち保持されていることを特徴とする請求項２２に記載の光学走査装置。
【請求項２５】
前記第１及び第２の光源は、主走査方向において、前記走査レンズの光軸から離れた位置に配置されており、前記装置は更に、前記第１及び第２の光源から発生する第１及び第２レーザー光を前記偏向器に向かって反射するミラーを有し、前記遮光板は、主走査方向において、前記走査レンズの光軸を境にして前記第１及び第２の光源から前記ミラーに向かう第１及び第２レーザー光の光路とは反対側の端部で前記装置のハウジングに保持されていることを特徴とする請求項２４に記載の光学走査装置。
【請求項２６】
前記偏向器によって偏向された第１のレーザー光は前記遮光板よりも上側を通過し、前記偏向器によって偏向された第２のレーザー光は前記遮光板よりも下側を通過することを特徴とする請求項２２に記載の光学走査装置。
【請求項２７】
前記遮光板は光学ハウジングの弾性部に接着剤によって固定されていることを特徴とする請求項２４に記載の光学走査装置。
【手続補正２】
【補正対象書類名】明細書
【補正対象項目名】００１６
【補正方法】変更
【補正の内容】
【００１６】
前記課題を解決するための本発明に係る代表的な構成は、レーザー光が発生する光源と、該光源から発生するレーザー光を偏向する偏向器と、前記偏向器で偏向されたレーザー光が通過する走査レンズと、を有し、前記光源から発生するレーザー光が、前記走査レンズを通過した後、前記偏向器で偏向され、その後再び前記走査レンズを通過して被走査面に向かって出射する光学走査装置において、前記走査レンズを境にして前記偏向器が配置されている側とは反対側に、前記走査レンズで反射し前記被走査面に向かう反射光を遮光する遮光板を有し、前記偏向器と前記走査レンズとの距離をＬ１、前記偏向器と前記遮光板との距離をＬ２、前記走査レンズの厚みをＴ、前記偏向器に対する前記レーザー光の副走査方向の入射角度をα、前記レーザー光の収束角度を２θとするとき、
【数１】
2006072339.tif 000004
の数式を満たす範囲内に前記遮光板が配置されていることを特徴とする。
【手続補正３】
【補正対象書類名】明細書
【補正対象項目名】００１７
【補正方法】変更
【補正の内容】
【００１７】
更に本発明は、第１のレーザー光が発生する第１の光源と、第２のレーザー光が発生する第２の光源と、前記第１及び第２の光源から発生する第１及び第２のレーザー光を偏向する偏向器と、前記偏向器で偏向された第１及び第２のレーザー光が通過する走査レンズと、を有し、前記第１及び第２の光源から発生する第１及び第２のレーザー光が、共に前記走査レンズを通過した後、前記偏向器で偏向され、その後再び前記走査レンズを通過して第１の被走査面と第２の被走査面に向かって夫々出射する光学走査装置において、前記走査レンズを境にして前記偏向器が配置されている側とは反対側に、前記走査レンズで反射し前記第1または第２の被走査面に向かう反射光を遮光する遮光板を有し、前記偏向器と前記走査レンズとの距離をＬ１、前記偏向器と前記遮光板との距離をＬ２、前記偏向器に入射する前記第１及び第２のレーザー光の副走査方向の距離をＬ３、前記走査レンズの厚みをＴ、前記偏向器に対する前記第１及び第２のレーザー光夫々の副走査方向の入射角度をα、前記第１及び第２のレーザー光夫々の収束角度を２θとするとき、
【数２】
2006072339.tif 000005
【数３】
2006072339.tif 000006
の２つの数式を満たす範囲内に前記遮光板が配置されていることを特徴とする。
【手続補正４】
【補正対象書類名】明細書
【補正対象項目名】００５４
【補正方法】変更
【補正の内容】
【００５４】
以上のような条件式（１）と条件式（２）を纏めると、反射板を、
【数１】
2006072339.tif 000007
を満たす範囲内（図２中ラインＡとラインＢの範囲内）に配置し、反射光Ｒｇ１及びＲｇ２を遮光するのが好ましい。
【手続補正５】
【補正対象書類名】明細書
【補正対象項目名】００６４
【補正方法】変更
【補正の内容】
【００６４】
以上の条件を考慮して、入射角αの設定に拘わらず最適な遮光板の位置を示したものが下記の〔数２〕及び〔数３〕である。ここで距離Ｌ2は、回転多面鏡２の反射面２Ｆにおける入射光束Ｒｉ１、Ｒｉ２が入射する位置を基準に反射面２Ｆに対して垂直方向（図中の２点鎖線上）の距離である。遮光板３は、
【数２】
2006072339.tif 000008
【数３】
2006072339.tif 000009
の両方を満たす範囲内に配置する。なお、この範囲内に配置するのは遮光板３のうち図５の３ａと３ｂの部分である。